(57)【要約】【課題】ポールとキャップとの間に一体感を生じさせることができるカーテンレール構造を提供する。【解決手段】カーテンレール構造１は、カーテンポール２と、カーテンポール２を固定するためのブラケット４と、カーテンポール２の端２ａに接合されるキャップ３と、を備えている。カーテンポール２は端２ａに端面２ｂを有しており、キャップ３は、一方の端３ａに接合面３ｂを有しており、ブラケット４は、端面２ｂと接合面３ｂとが対向して接合されたカーテンポール２とキャップ３とを収容する収容部４１と、収容部４１を閉じる閉じ部材４３とを備えている。収容部４１は、端面２ｂ及び接合面３ｂが接合されたカーテンポール２及びキャップ３の一部と共に収容可能に形成された凹部であり、閉じ部材４３は、収容部４１の開口部４１１の側から、少なくとも収容部４１に収容された端面２ｂ及び接合面３ｂを覆うように形成されている。【選択図】図１
2018187147.tif 000002
【特許請求の範囲】
【請求項１】
カーテンが取り付けられる環状のランナーに挿入されるカーテンポールと、
前記カーテンポールを取り付ける対象に固定するためのブラケットと、
前記カーテンポールの端に接合されるキャップと、を備え、
前記カーテンポールは前記端に端面を有しており、
前記キャップは、一方の端に接合面を有しており、
前記ブラケットは、前記端面と前記接合面とが対向して接合された前記カーテンポールと前記キャップとを収容する収容部と、該収容部を閉じる閉じ部材とを備えており、
前記収容部は、前記端面及び前記接合面を前記接合された前記カーテンポール及び前記キャップの一部と共に収容可能に形成された凹部であり、
前記閉じ部材は、前記収容部の開口部の側から、少なくとも前記収容部に収容された前記端面及び前記接合面を覆うように形成されていることを特徴とするカーテンレール構造。
【請求項２】
前記収容部の前記開口部は、前記カーテンポール及び前記キャップの一部が通過可能になっていることを特徴とする請求項１記載のカーテンレール構造。
【請求項３】
前記収容部は、前記収容される前記カーテンポール及び前記キャップの一部の輪郭の一部と同一の輪郭を一部に有していることを特徴とする請求項１又は２記載のカーテンレール構造。
【請求項４】
前記閉じ部材は、前記収容される前記カーテンポール及び前記キャップの一部の前記開口部から露出する部分の輪郭と同一の輪郭を一部に有していることを特徴とする請求項１乃至３のいずれか１項記載のカーテンレール構造。
【請求項５】
前記閉じ部材は、前記収容部の内部に連通する孔が形成されていることを特徴とする請求項１乃至４のいずれか１項記載のカーテンレール構造。
【請求項６】
前記ブラケットは、前記ブラケットにおいて前記収容部を固定可能にする固定部材を備えていることを特徴とする請求項１乃至５のいずれか１項記載のカーテンレール構造。
【発明の詳細な説明】
【技術分野】
【０００１】
本発明は、カーテンを吊下げるためのカーテンレール構造に関する。
【背景技術】
【０００２】
従来から、カーテンの開閉を可能にするためにカーテンレール構造が用いられている。カーテンレール構造は、直線状に延びるカーテンポールと、カーテンポールを壁又は窓枠等の取り付ける対象に固定するブラケットと、カーテンポールが挿通された環状の複数のランナーとを備えている。ランナーの下端部にカーテンが吊り下げられ、カーテンポールに沿ってランナーを摺動させることによりカーテンが開閉可能となっている。
【０００３】
従来のカーテンレール構造には、カーテンポールの先端部にキャップを装着することにより、カーテンポールの先端の加工面が露出しないようにしている（例えば、特許文献１参照）。
【先行技術文献】
【特許文献】
【０００４】
【特許文献１】特開２０１５−５４１４５号公報
【発明の概要】
【発明が解決しようとする課題】
【０００５】
上述のような従来のカーテンレール構造においては、カーテンポールとキャップとの間に隙間等の不連続部が形成され、カーテンポールとキャップとの間に一体感がなく、美観が損なわれる場合があった。このため、カーテンポールとキャップとの間に不連続部が形成されていても、カーテンポールとキャップとの間に一体感を生じさせ得るカーテンレール構造が求められていた。
【０００６】
本発明は、上記の課題に鑑みてなされたものであり、その目的は、カーテンポールとキャップとの間に不連続部が形成されていても、カーテンポールとキャップとの間に一体感を生じさせることができるカーテンレール構造を提供することである。
【課題を解決するための手段】
【０００７】
上記目的を達成するために、本発明のカーテンレール構造は、カーテンが取り付けられる環状のランナーに挿入されるカーテンポールと、前記カーテンポールを取り付ける対象に固定するためのブラケットと、前記カーテンポールの端に接合されるキャップと、を備え、前記カーテンポールは前記端に端面を有しており、前記キャップは、一方の端に接合面を有しており、前記ブラケットは、前記端面と前記接合面とが対向して接合された前記カーテンポールと前記キャップとを収容する収容部と、該収容部を閉じる閉じ部材とを備えており、前記収容部は、前記端面及び前記接合面を前記接合された前記カーテンポール及び前記キャップの一部と共に収容可能に形成された凹部であり、前記閉じ部材は、前記収容部の開口部の側から、少なくとも前記収容部に収容された前記端面及び前記接合面を覆うように形成されていることを特徴とする。
【０００８】
本発明の一態様に係るカーテンレール構造において、前記収容部の前記開口部は、前記カーテンポール及び前記キャップの一部が通過可能になっている。
【０００９】
本発明の一態様に係るカーテンレール構造において、前記収容部は、前記収容される前記カーテンポール及び前記キャップの一部の輪郭の一部と同一の輪郭を一部に有している。
【００１０】
本発明の一態様に係るカーテンレール構造において、前記閉じ部材は、前記収容される前記カーテンポール及び前記キャップの一部の前記開口部から露出する部分の輪郭と同一の輪郭を一部に有している。
【００１１】
本発明の一態様に係るカーテンレール構造において、前記閉じ部材は、前記収容部の内部に連通する孔が形成されている。
【００１２】
本発明の一態様に係るカーテンレール構造において、前記ブラケットは、前記ブラケットにおいて前記収容部を固定可能にする固定部材を備えている。
【発明の効果】
【００１３】
本発明に係るカーテンレール構造によれば、カーテンポールとキャップとの間に不連続部が形成されていても、カーテンポールとキャップとの間に一体感を生じさせることができる。
【図面の簡単な説明】
【００１４】
【図１】本発明の実施の形態に係るカーテンレール構造の概略構成を示すための斜視図である。
【図２】本発明の実施の形態に係るカーテンレール構造におけるカーテンポールとキャップの概略構成を示すための斜視図であり、図２（ａ）は、図１に示すカーテンポールとキャップとを分離した状態で示す斜視図であり、図２（ｂ）は、カーテンポールとキャップとを組み立てた状態で示す斜視図である。
【図３】本発明の実施の形態に係るカーテンレール構造におけるブラケットの概略構成を示すための斜視図であり、図３（ａ）は、図１に示すブラケットの斜視図であり、図３（ｂ）は、図３（ａ）に示すブラケットを閉じ部材を外した状態で示す斜視図である。
【図４】本発明の実施の形態に係るカーテンレール構造におけるブラケットの閉じ部材の概略構成を示すための斜視図であり、図４（ａ）は、閉じ部材の斜視図であり、図４（ｂ）は、閉じ部材をカーテンポール及びキャップに当接した状態で示す斜視図であり、図４（ｃ）は、閉じ部材をカーテンポール及びキャップに当接した状態で示す平面図である。
【図５】本発明の実施の形態に係るカーテンレール構造をブラケットを分解した状態で示す斜視図である。
【発明を実施するための形態】
【００１５】
以下、本発明の実施の形態に係るカーテンレール構造について、図面を参照して説明する。
【００１６】
はじめに、図１及び図２を参照して、本発明の実施の形態に係るカーテンレール構造１について説明する。図１は、本発明の実施の形態に係るカーテンレール構造１の概略構成を示すための斜視図である。図２は、カーテンレール構造１におけるカーテンポール２とキャップ３の概略構成を示すための斜視図であり、図２（ａ）は、図１に示すカーテンポール２とキャップ３とを分解した状態で示す斜視図であり、図２（ｂ）は、カーテンポール２とキャップ３とを組み立てた状態で示す斜視図である。
【００１７】
図１及び図２に示すように、本発明の実施の形態に係るカーテンレール構造１は、カーテン（図示省略）が取り付けられる環状のランナーＲ１，Ｒ２に挿入されるカーテンポール２と、カーテンポール２を取り付ける対象に固定するためのブラケット４と、カーテンポール２の端２ａに接合されるキャップ３とを備えている。以下、具体的に説明する。
【００１８】
カーテンポール２は、図２（ａ），（ｂ）に示すように、直線状又は略直線状に延びる棒状の部材であり、端２ａ（一側省略）に端面２ｂを有している。カーテンポール２は、延び方向（図２（ｂ）の長手方向Ｐｘ）に直交する断面が円形又は略円形となっている。端面２ｂは、カーテンポール２の延び方向に面する面であり、例えば、材料からカーテンポール２が作られる際に材料が加工されて形成される面である。図２（ａ），（ｂ）においては、カーテンポール２の一端のみが示されているが、カーテンポール２は両方の端２ａに端面２ｂを有している。この端面２ｂには、後述するキャップ３のキャップ側ネジ軸３ｃと螺合可能なポール側ネジ孔２ｃが形成されている。
【００１９】
キャップ３は、直線状又は略直線状に延びる棒状の部材であり、延び方向における一方の端（端３ａ）に、接合面３ｂを有している。キャップ３は、延び方向（図２（ｂ）の長手方向Ｐｘ）に直交する断面が円形又は略円形となっている。また、キャップ３は、端３ａと反対側の端（端３ｄ）側の部分が先細り形状になっている。接合面３ｂは、例えば、カーテンポール２の端面２ｂと同一又は略同一な形状となっており、または、端面２ｂに対応する形状となっている。なお、対応する形状とは、完全に同一の形状及び略同一の形状を含み、接合面３ｂがその全面で端面２ｂに接触する形状や、接合面３ｂがその一部で端面２ｂの全面に接触する形状等である。キャップ３は、接合面３ｂからキャップ３の延び方向において外側に向かって延びるネジ軸であるキャップ側ネジ軸３ｃを有しており、キャップ側ネジ軸３ｃは、カーテンポール２のポール側ネジ孔２ｃと螺合可能になっている。キャップ側ネジ軸３ｃがポール側ネジ孔２ｃに螺合され、カーテンポール２の端面２ｂにキャップ３の接合面３ｂが接触又は所定の距離まで近づくと、カーテンポール２とキャップ３とが互いに接合され、接合状態となる。
【００２０】
カーテンポール２の延び方向に直交する方向の幅は、キャップ３の延び方向に直交する方向の幅と、同一又は略同一となっていてもよく、異なっていてもよい。図示の実施の形態においては、キャップ３の端３ａ側の部分の延び方向に直交する方向の幅は、カーテンポール２の延び方向に直交する方向の幅と同一となっている。
【００２１】
ブラケット４は、端面２ｂと接合面３ｂとが対向して接合されたカーテンポール２とキャップ３（図２（ｂ）参照）とを収容する収容部４１と、収容部４１を閉じる閉じ部材４３とを備えている。具体的には、ブラケット４は、図１に示すように、ブラケット本体４２を有しており、収容部４１はブラケット本体４２に形成されている。また、ブラケット４は、ブラケット４において収容部４１を固定可能にする固定部材４４を備えている。固定部材４４は、例えばネジ部材である。以下にブラケット４の構成を詳細に説明する。
【００２２】
図３は、ブラケット４の概略構成を示すための斜視図であり、図３（ａ）は、ブラケット４の斜視図であり、図３（ｂ）は、ブラケット４を閉じ部材４３を外した状態で示す収容部４１の斜視図である。
【００２３】
収容部４１は、カーテンポール２の端面２ｂ及びキャップ３の接合面３ｂが接合されたカーテンポール２及びキャップ３（図２（ｂ）参照）の一部と共に収容可能に形成された凹部である。収容部４１に収容されるカーテンポール２及びキャップ３の一部とは、図２（ｂ）に示すように、接合状態におけるカーテンポール２及びキャップ３の接合部２３近傍のカーテンポール２及びキャップ３の部分である。接合部２３は、接合状態における端面２ｂと接合面３ｂとが形成する部分であり、端面２ｂと接合面３ｂとの間の部分である。
【００２４】
収容部４１は、内側に向かって凹む凹部であり、ブラケット本体４２の外側に向かって開放された開口部４１１を有しており、開口部４１１は、接合されたカーテンポール２及びキャップ３の上述の一部（以下、被収容部２４ともいう。）が通過可能になっている。具体的には、図３（ｂ）に示すように、開口部４１１の幅Ｄは、被収容部２４が開口部４１１を通って収容部４１内部へ通過可能となるような値となっており、被収容部２４の幅と同一又は被収容部２４の幅より大きな値になっている。また、収容部４１は、収容部４１の延び方向（図３（ａ）の矢印Ｂｙ方向）において、ブラケット本体４２を貫通している。
【００２５】
ブラケット本体４２は、壁又は天井等の取り付け対象に接触する面である取付面４２２を有しており、取付面４２２には係合部材４２１が設けられている。係合部材４２１は、取り付け対象と係合してブラケット本体４２が取り付け対象に固定可能となるように形成されている。係合部材４２１は、例えば、取付面４２２から突出したタッピングネジであり、このタッピングネジが取り付け対象に螺合されて、ブラケット本体４２が取り付け対象に固定される。タッピングネジは、例えば、取付面４２２に取り付け及び取り外し可能に形成されたプレートから突出される。係合部材４２１は、タッピングネジに限られず、ブラケット４を取り付け対象に固定可能なものであればよい。ブラケット本体４２は、取付面４２２に背向する長手方向Ｂｘに延びており、先端部４２３まで延びている。
【００２６】
収容部４１は、ブラケット本体４２において、取付面４２２と先端部４２３との間に形成されており、ブラケット本体４２の長手方向Ｂｘに直交する幅方向Ｂｙ方向に延びてブラケット本体４２を貫通している。また、開口部４１１は、ブラケット本体４２の長手方向Ｂｘに延びている。
【００２７】
収容部４１は、収容されるカーテンポール２及びキャップ３の一部（被収容部２４）の輪郭の一部と同一の輪郭を一部に有している。例えば、図３（ｂ）に示すように、収容部４１は、開口部４１１の取付面４２２側の端からブラケット本体４２の内部に向かって延びる面である後側面４１６と、開口部４１１の先端部４２３側の端からブラケット本体４２の内部に向かって延びる面である前側面４１２と、内部側で前側面４１２と後側面４１６とに接続する面である支持受面４１５とを有している。これらの前側面４１２、後側面４１６及び支持受面４１５が、収容部４１を画成している。前側面４１２及び後側面４１６は、平面又は略平面であり、支持受面４１５は曲面である。支持受面４１５は、被収容部２４におけるカーテンポール２及びキャップ３の一部（被収容部２４）の輪郭の一部と同一の輪郭を形成するような曲面となっており、支持受面４１５に収容される被収容部２４の部分は支持受面４１５に接触するようになっている。例えば、支持受面４１５の幅方向Ｂｙに直交する断面は、カーテンポール２及びキャップ３の半分の輪郭である半円弧形状となる。
【００２８】
また、ブラケット本体４２は、開口部４１１の長手方向Ｂｘにおける取付面４２２側の縁部に隣接して形成された、後述する閉じ部材４３の一対の側板部４３２ａ，４３２ｂの保持部当接部４３８ａ，４３８ｂと当接可能となっている保持部４１３を有している。保持部４１３は、閉じ部材４３が収容部４１内に位置するように内部に凹む凹部となっているが、保持部４１３の形状はこれに限られない。また、保持部４１３には、固定部材４４を固定するための固定部材係合部４１４が形成されている。
【００２９】
閉じ部材４３は、収容部４１の開口部４１１の側から、少なくとも収容部４１に収容されたカーテンポール２の端面２ｂ及びキャップ３の接合面３ｂを覆うように形成されている。以下に図４を参照して閉じ部材４３について詳細に説明する。
【００３０】
図４は、閉じ部材４３の概略構成を示すための斜視図であり、図４（ａ）は、閉じ部材４３の斜視図であり、図４（ｂ）は、閉じ部材４３をカーテンポール２及びキャップ３に当接した状態で示す斜視図であり、図４（ｃ）は、閉じ部材４３をカーテンポール２及びキャップ３に当接した状態で示す平面図である。
【００３１】
閉じ部材４３は、図３（ａ）に示すように、開口部４１１から収容部４１内に嵌め込まれ、収容部４１の内部において、ブラケット本体４２と接合されたカーテンポール２及びキャップ３とに保持されるような形状を有している。具体的には、図４（ａ）に示すように、閉じ部材４３は、基板部４３１と、この基板部４３１の一対の縁部４３１ａ，４３１ｂから下方に延出した一対の側板部４３２ａ，４３２ｂとを有している。側板部４３２ａと側板部４３２ｂとは、対称形状となっている。側板部４３２ａは、縁部４３１ａと反対側の縁部に、被収容部当接部４３６ａと、被収容部当接部４３６ａに接続する後側面当接部４３９ａと、被収容部当接部４３６ａと反対側で後側面当接部４３９ａに接続する保持部当接部４３８ａとを有している。また、側板部４３２ａは、被収容部当接部４３６ａに接続する先端側の縁部に前側面当接部４３７ａを有している。また、同様に、側板部４３２ｂは、縁部４３１ｂと反対側の縁部に、被収容部当接部４３６ｂと、被収容部当接部４３６ｂに接続する後側面当接部４３９ｂと、被収容部当接部４３６ｂと反対側で後側面当接部４３９ｂに接続する保持部当接部４３８ｂとを有している。また、側板部４３２ｂは、被収容部当接部４３６ｂに接続する先端側の縁部に前側面当接部４３７ｂを有している。また、基板部４３１の後側には、固定部材４４が挿入される挿入孔４３４が形成されており、基板部４３１の前側には、収容部４１の内部に連通する連通孔４３５が形成されている。
【００３２】
閉じ部材４３が収容部４１に嵌め込まれた嵌め込み状態において、図３（ａ）に示すように、保持部当接部４３８ａ，４３８ｂは、保持部４１３に当接し、基板部４３１の前側の縁部４３３と、前側面当接部４３７ａ，４３７ｂと後側面当接部４３９ａ，４３９ｂとは夫々、収容部４１内に入り込み、前側面４１２と後側面４１６と当接するような形状を有している。
【００３３】
一対の側板部４３２ａ，４３２ｂは、収容部４１に収容されるカーテンポール２及びキャップ３の一部である被収容部２４の開口部４１１から露出する部分の輪郭と同一の輪郭を一部に有している。具体的には、被収容部当接部４３６ａ，４３６ｂが、被収容部２４の開口部４１１から露出する部分の輪郭と同一の輪郭を有している。より具体的には、被収容部当接部４３６ａ，４３６ｂは、被収容部２４の長手方向Ｐｘに直交する断面の輪郭において開口部４１１から露出される部分と同一の又は略同一の円弧形状となっている。このため、閉じ部材４３が収容部４１に嵌め込まれた嵌め込み状態において、被収容部当接部４３６ａ，４３６ｂは、被収容部２４の開口部４１１から露出する部分に当接する。
【００３４】
また、保持部当接部４３８ａ，４３８ｂは、閉じ部材４３の収容部４１への嵌め込み状態において、ブラケット本体４２の上面４２ａ（開口部４１１）と基板部４３１とが面一となるように、保持部４１３からブラケット本体４２の上面４２ａまでの高さＨ（図３（ｂ）参照）の寸法と同一寸法の高さＩを有しているようにしてもよい（図４（ｂ）参照）。
【００３５】
次いで、図５を参照して、上述したカーテンレール構造１の組み立て方法について説明する。図５は、カーテンレール構造１をブラケット４を分解した状態で示す斜視図である。
【００３６】
カーテンレール構造１の組み立てでは、先ず、キャップ３のキャップ側ネジ軸３ｃをカーテンポール２のポール側ネジ孔２ｃに螺合して、カーテンポール２の端面２ｂにキャップ３の接合面３ｂが接触又は所定の距離まで近づけ、カーテンポール２の端面２ｂとキャップ３の接合面３ｂとが互いに接合された接合状態とする（図２（ｂ）参照）。
【００３７】
また、壁又は天井等の取り付け対象にブラケット本体４２の係合部材４２１を係合して取付面４２２（図３（ａ）参照）を接触させることにより、ブラケット本体４２を取り付け対象に固定する。例えば、係合部材４２１が取付面４２２から突出したタッピングネジの場合、このタッピングネジを取り付け対象に螺合し、ブラケット本体４２が取り付け対象に固定される。
【００３８】
取り付け対象にブラケット本体４２を固定すると、ブラケット本体４２の収容部４１に接合状態のカーテンポール２及びキャップ３の一部、すなわち上述した被収容部２４（図２（ｂ）参照）を収容する。詳細には、被収容部２４を開口部４１１を通って収容部４１内部へ進入させて、被収容部２４が支持受面４１５に接触して収容部４１に収容される。この収容状態では、被収容部２４は収容部４１内に入り込み、被収容部２４の上部が開口部４１１を介して露出された状態で収容されている。
【００３９】
収容部４１に被収容部２４を収容すると、キャップ３にランナーＲ１を挿入し、カーテンポール２にランナーＲ２を挿入する（図１参照）。
【００４０】
カーテンポール２及びキャップ３にランナーＲ１，Ｒ２が挿入されると、閉じ部材４３を収容部４１に嵌め込み、収容部４１を閉じ部材４３で閉じる。具体的には、閉じ部材４３の基板部４３１の前側の縁部４３３と、側板部４３２ａ，４３２ｂの前側面当接部４３７ａ，４３７ｂと後側面当接部４３９ａ，４３９ｂとを収容部４１内に入れ込むことにより閉じ部材４３を収容部４１に嵌め込む。
【００４１】
閉じ部材４３を収容部４１に嵌め込むと、開口部４１１を介して露出された部分の被収容部２４に側板部４３２ａ，４３２ｂの被収容部当接部４３６ａ，４３６ｂが当接する。詳細には、被収容部当接部４３６ａは、被収容部２４におけるカーテンポール２に当接し、被収容部当接部４３６ｂは、被収容部２４におけるキャップ３に当接する。
【００４２】
また、側板部４３２ａ，４３２ｂの保持部当接部４３８ａ，４３８ｂは、ブラケット本体４２の保持部４１３に当接し、基板部４３１の前側の縁部４３３と、側板部４３２ａ，４３２ｂの前側面当接部４３７ａ，４３７ｂは、収容部４１の前側面４１２に当接する。さらに、側板部４３２ａ，４３２ｂの後側面当接部４３９ａ，４３９ｂは、収容部４１の後側面４１６に当接する。
【００４３】
閉じ部材４３を収容部４１に嵌め込んだ後、閉じ部材４３の連通孔４３５から接合部２３を視認することにより、接合部２３の上方に連通孔４３５が位置されるようにカーテンポール２及びキャップ３の位置を調整する（図４（ｃ）参照）。
【００４４】
そして、固定部材４４をブラケット４の下方から挿入して収容部４１を閉じ部材４３で固定する。具体的には、固定部材４４をブラケット４の固定部材係合部４１４と閉じ部材４３の挿入孔４３４に挿入して螺合することにより収容部４１に閉じ部材４３を固定する。固定部材４４は例えばネジであり、挿入孔４３４は例えばネジ孔である。
【００４５】
収容部４１に閉じ部材４３を固定すると、ブラケット本体４２の上面４２ａ（開口部４１１）と基板部４３１とが面一となるとともに、カーテンポール２及びキャップ３が取り付け対象に直線状に延びて固定される（図１参照）。なお、図１においては、１つのブラケット４のみが示されているが、カーテンポール２及びキャップ３は、離間した２以上のブラケット４の収容部４１に収容される。
【００４６】
カーテンポール２及びキャップ３が取り付け対象に固定されると、ランナーＲ１，Ｒ２の下部に設けられたフック孔Ｆ１，Ｆ２（図１参照）に、カーテンの上端に取り付けられたフックを挿入してカーテンを取り付ける（図示省略）。具体的には、カーテンの側端に取り付けられたフックをフック孔Ｆ１に挿入し、カーテンの側端以外に取り付けられたフックをフック孔Ｆ２に挿入する。カーテンの側端部は、ランナーＲ１がブラケット４に当接することによりカーテンポール側への移動が規制される。フック孔Ｆ２を介してランナーＲ２に取り付けられたカーテンは、カーテンポール２に沿ってランナーＲ２が摺動することにより移動可能になる。
【００４７】
このように、収容部４１は、前側面４１２、後側面４１６及び支持受面４１５により画成されており、支持受面４１５は、被収容部２４におけるカーテンポール２及びキャップ３の輪郭の一部と同一の輪郭を形成するような曲面となっている。また、閉じ部材４３の一対の側板部４３２ａ，４３２ｂは、カーテンポール２及びキャップ３の一部である被収容部２４の開口部４１１から露出する部分の輪郭と同一の輪郭の被収容部当接部４３６ａ，４３６ｂを有している。このため、収容部４１に収容されて支持受面４１５に接触したカーテンポール２及びキャップ３の被収容部２４を閉じ部材４３により覆うことにより、カーテンポール２とキャップ３との接合部２３を収容部４１の外側から視認し難くすることができる。これにより、カーテンポール２とキャップ３との間に接合部２３が形成されていても、カーテンポール２とキャップ３との間に一体感を生じさせることができる。
【００４８】
また、閉じ部材４３は、収容部４１の内部に連通する連通孔４３５が形成されているため、この連通孔４３５から接合部２３を視認し、接合部２３の上方に連通孔４３５が位置されるようにカーテンポール２及びキャップ３の位置を調整することができる。また、この連通孔には、金属製の巻尺の先端部分に設けられた爪を挿入することができる。例えば、一方のブラケット４と他方のブラケット４との間の寸法に応じてカーテンポール２を切断する場合、爪を連通孔４３５に挿入することにより、延び方向（図２（ｂ）の長手方向Ｐｘ）におけるカーテンポール２を容易に採寸することができる。
【００４９】
そして、閉じ部材４３を収容部４１に嵌め込んだ後、固定部材４４で収容部４１に閉じ部材４３を固定することにより、カーテンポール２にキャップ３が曲がって接合されている場合であっても、固定部材４４により収容部４１に閉じ部材４３を締め付けることにより直線状に矯正して固定することができる。
【００５０】
以上、本発明の好適な実施の形態について説明したが、本発明は上記の実施の形態に係るカーテンレール構造１に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更され得る。
【符号の説明】
【００５１】
１        カーテンレール構造
２        カーテンポール
２ａ      端
２ｂ      端面
２ｃ      ポール側ネジ孔
３        キャップ
３ａ      端
３ｂ      接合面
３ｃ      キャップ側ネジ軸
３ｄ      端
４        ブラケット
２３      接合部
２４      被収容部
４１      収容部
４２      ブラケット本体
４２ａ    上面
４３      閉じ部材
４４      固定部材
４１１    開口部
４１２    前側面
４１３    保持部
４１４    固定部材係合部
４１５    支持受面
４１６    後側面
４２１    係合部材
４２２    取付面
４２３    先端部
４３１    基板部
４３１ａ，４３１ｂ    縁部
４３２ａ，４３２ｂ    側板部
４３３    縁部
４３４    挿入孔
４３５    連通孔
４３６ａ，４３６ｂ    被収容部当接部
４３７ａ，４３７ｂ    前側面当接部
４３８ａ，４３８ｂ    保持部当接部
４３９ａ，４３９ｂ    後側面当接部
Ｆ１，Ｆ２      フック孔
Ｒ１，Ｒ２      ランナー
【図１】
2018187147.tif 000003
【図２】
2018187147.tif 000004
【図３】
2018187147.tif 000005
【図４】
2018187147.tif 000006
【図５】
2018187147.tif 000007